(57)【特許請求の範囲】
【請求項１】
調理面と、前記調理面と対向する裏面と、周縁部において前記裏面と対向して設けられ前記調理面の延びる方向に対して傾斜した方向に延びる斜面とを有し、可視光及び赤外光を透過させるガラス板と、
前記調理面及び前記斜面の上に形成されており、赤外光を遮蔽する赤外光遮蔽膜と、
を備え、
前記赤外光遮蔽膜は、可視光の平均透過率が７５％以上であり、かつ、色調を有する、電磁加熱調理器用トッププレート。
【請求項２】
前記赤外光遮蔽膜は、前記ガラス板の吸収による色調変化を打ち消すことが可能な色調を有する、請求項１に記載の電磁加熱調理器用トッププレート。
【請求項３】
前記ガラス板の透過光が黄色味を有する色調を呈し、前記赤外光遮蔽膜は青色の光の反射率が高い、請求項１または２に記載の電磁加熱調理器用トッププレート。
【請求項４】
前記裏面の上に設けられており、可視光を遮蔽する可視光遮蔽膜をさらに備える、請求項１〜３のいずれか一項に記載の電磁加熱調理器用トッププレート。
【請求項５】
前記可視光遮蔽膜は、前記可視光を反射する反射膜である、請求項４に記載の電磁加熱調理器用トッププレート。
【請求項６】
前記反射膜は、金属膜により構成されている、請求項５に記載の電磁加熱調理器用トッププレート。
【請求項７】
前記金属膜は、チタン膜により構成されている、請求項６に記載の電磁加熱調理器用トッププレート。
【請求項８】
前記可視光遮蔽膜は、可視光に加えて赤外光も遮蔽し、
前記可視光遮蔽膜は、平面視において、前記斜面と重なる部分を含む前記裏面の周縁部の上には設けられていない、請求項６または７に記載の電磁加熱調理器用トッププレート。
【請求項９】
前記赤外光遮蔽膜は、酸化チタン、酸化ジルコン、酸化ニオブ、酸化ハフニウム、酸化タンタル、酸化タングステンまたはスズドープ酸化インジウムからなる、請求項１〜８のいずれか一項に記載の電磁加熱調理器用トッププレート。
【発明の詳細な説明】
【技術分野】
【０００１】
本発明は、電磁加熱調理器用トッププレートに関する。
【背景技術】
【０００２】
従来、二酸化炭素を放出せず、環境負荷が小さな調理器として、電磁加熱（ＩＨ：Ｉｎｄｕｃｔｉｏｎ  Ｈｅａｔｉｎｇ）調理器（以下、「ＩＨ調理器」とする。）が知られている。
【０００３】
ＩＨ調理器は、電磁加熱装置と、電磁加熱装置の上に配されたトッププレートとを備えている。このトッププレートは、鍋やフライパン等の調理器具を載置するためのものであると共に、ＩＨ調理器の内部に配された電磁加熱装置等を隠蔽するためのものである。このため、ＩＨ調理器用トッププレートには、優れた熱的耐久性と、優れた機械的耐久性と、可視波長域における光透過率が低いこととが求められている。
【０００４】
このような要求を満たすトッププレートとして、例えば、下記の特許文献１には、低膨張結晶化ガラスからなり、調理面の上にＴｉＯ２等からなる高屈折率膜が形成されたトッププレートが開示されている。
【０００５】
なお、ＩＨ調理器においては、電磁加熱装置の制御のために、鍋の温度を検出する必要がある。この鍋の温度の検出は、一般的には、トッププレートの下方に配置された赤外光センサにより、鍋等の調理器具から放出される赤外光を検出することにより行われている。
【先行技術文献】
【特許文献】
【０００６】
【特許文献１】特開２００８−１９０８４６号公報
【特許文献２】特開２００６−１３８５５３号公報
【発明の概要】
【発明が解決しようとする課題】
【０００７】
ところで、ＩＨ調理器用トッププレートに対しては、上述のように、鍋等の調理器具との接触により破損しにくいことが求められている。このような調理器具との接触により破損しにくい電磁加熱調理器用トッププレートとしては、例えば上記特許文献２に記載されているような、調理面側の稜線部が面取り形状とされているＩＨ調理器用トッププレートが挙げられる。
【０００８】
しかしながら、調理面側の稜線部を面取り形状とした場合、上記赤外光センサによる調理器具の温度の検出精度が低下してしまう場合がある。
【０００９】
本発明は、斯かる点に鑑みて成されたものであり、その目的は、調理器具等との接触により破損しにくく、かつ赤外光センサによる調理器具の温度の検出精度が低下しにくい電磁加熱調理器用トッププレートを提供することにある。
【課題を解決するための手段】
【００１０】
本発明に係る電磁加熱調理器用トッププレートは、ガラス板と赤外光遮蔽膜とを備えている。ガラス板は、調理面と、裏面と、斜面とを有する。裏面は、調理面と対向している。斜面は、周縁部において裏面と対向して設けられている。斜面は、調理面の延びる方向に対して傾斜した方向に延びている。ガラス板は、可視光及び赤外光を透過させる。赤外光遮蔽膜は、斜面の上に形成されている。赤外光遮蔽膜は、赤外光を遮蔽する。
【００１１】
ここで、本発明において、「赤外光を遮蔽する」とは、赤外光の平均透過率を１０％以上妨げることをいう。赤外光遮蔽膜は、赤外光を反射することにより遮蔽する膜であってもよいし、赤外光を吸収することにより遮蔽する膜であってもよいし、赤外光を反射すると共に吸収する膜であってもよい。
【００１２】
本発明において、「可視光を透過させる」とは、可視光の平均透過率が７５％以上であることをいう。
【００１３】
「赤外光を透過させる」とは、赤外光の平均透過率が２５％以上であることをいう。
【００１４】
「赤外光を反射する」とは、入射角が０°の赤外光の平均反射率が１０％以上であることをいう。
【００１５】
「可視光」とは、波長が、４００ｎｍ〜７００ｎｍの光をいう。
【００１６】
「赤外光」とは、波長が、２５００ｎｍ〜４０００ｎｍの光をいう。
【００１７】
「ガラス」には、結晶化ガラスが含まれるものとする。
【００１８】
赤外光遮蔽膜は、調理面の上にも形成されていることが好ましい。
【００１９】
赤外光遮蔽膜は、可視光を透過することが好ましい。
【００２０】
電磁加熱調理器用トッププレートは、裏面の上に設けられており、可視光を遮蔽する可視光遮蔽膜をさらに備えていることが好ましい。
【００２１】
「可視光を遮蔽する」とは、可視光の平均透過率が５％以下であることをいう。
【００２２】
可視光遮蔽膜は、可視光を反射する反射膜であることが好ましい。反射膜は、例えば、チタン膜などの金属膜により構成することができる。
【００２３】
「可視光を反射する」とは、入射角が０°の可視光の平均反射率が１０％以上であることをいう。
【００２４】
反射率、透過率などの計測は、分光透過率の測定装置を用いて計測すればよい。
【００２５】
本発明において、「金属」には、合金が含まれるものとする。
【００２６】
可視光遮蔽膜は、可視光に加えて赤外光も遮蔽する膜であり、平面視において、斜面と重なる部分を含む裏面の周縁部の上には設けられていないことが好ましい。
【００２７】
赤外光遮蔽膜は、酸化チタン、酸化ジルコン、酸化ニオブ、酸化ハフニウム、酸化タンタル、酸化タングステンまたはスズドープ酸化インジウム（ＩＴＯ）からなることが好ましい。
【発明の効果】
【００２８】
本発明によれば、調理器具等との接触により破損しにくく、かつ赤外光センサによる調理器具の温度の検出精度が低下しにくい電磁加熱調理器用トッププレートを提供することができる。
【図面の簡単な説明】
【００２９】
【図１】第１の実施形態に係るＩＨ調理器用トッププレートの略図的平面図である。
【図２】図１の線ＩＩ−ＩＩにおける略図的断面図である。
【図３】斜面の上に赤外光遮蔽膜が設けられていないＩＨ調理器用トッププレートの模式的断面図である。
【図４】第１の実施形態に係るＩＨ調理器用トッププレートの模式的断面図である。
【図５】第２の実施形態に係るＩＨ調理器用トッププレートの略図的断面図である。
【図６】第３の実施形態に係るＩＨ調理器用トッププレートの略図的断面図である。
【発明を実施するための形態】
【００３０】
以下、本発明を実施した好ましい形態の一例について説明する。但し、以下の実施形態は、単なる一例である。本発明は、以下の実施形態に何ら限定されない。
【００３１】
また、実施形態等において参照する各図面において、実質的に同一の機能を有する部材は同一の符号で参照することとする。また、実施形態等において参照する図面は、模式的に記載されたものであり、図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００３２】
（第１の実施形態）
図１は、第１の実施形態に係るＩＨ調理器用トッププレートの略図的平面図である。図２は、図１の線ＩＩ−ＩＩにおける略図的断面図である。
【００３３】
ＩＨ調理器用トッププレート１は、調理器具の温度を検出するための赤外光センサを備えるＩＨ調理器のトッププレートとして使用されるものである。ＩＨ調理器において、トッププレート１は、ＩＨ加熱装置及び赤外光センサの上方に配置され、調理器具の載置面を構成する。
【００３４】
図２に示すように、トッププレート１は、ガラス板１０を備えている。ガラス板１０は、トッププレート１の調理面を構成すると共に、トッププレート１の機械的強度を担保するための部材である。このため、ガラス板１０は、高強度な結晶化ガラス板であることが好ましい。
【００３５】
ガラス板１０は、可視光及び赤外光を透過させるものである。ガラス板１０は、可視光の平均透過率が７５％以上であるものであることが好ましく、８５％以上であるものであることがさらに好ましい。ガラス板１０は、赤外光の平均透過率が２５％以上であるものであることが好ましく、３０％以上であるものであることがさらに好ましい。このような透過率を満たす結晶化ガラス板の具体例としては、β−石英固溶体を主結晶とする結晶化ガラス板が挙げられる。
【００３６】
ガラス板１０の厚みは、特に限定されないが、例えば、３ｍｍ〜５ｍｍ程度とすることができる。
【００３７】
ガラス板１０は、平面状の調理面１０ａと、調理面１０ａと対向する平面状の裏面１０ｂと、端面１０ｄとを備えている。ガラス板１０の周縁部には、調理面１０ａの延びる方向に対して傾斜した方向に延びる斜面１０ｃが設けられている。この斜面１０ｃにより、調理面１０ａと端面１０ｄとが接続されている。
【００３８】
斜面１０ｃは、ガラス板１０の周縁部において裏面１０ｂと対向して設けられている。すなわち、斜面１０ｃは、平面視において、裏面１０ｂの周縁部と重なるように設けられている。この斜面１０ｃは、本実施形態においては、ガラス板１０の周縁部全周にわたって設けられている。
【００３９】
なお、斜面１０ｃは、本実施形態では、平面状である。斜面１０ｃの延びる方向と、調理面１０ａの延びる方向とのなす角の大きさθは、５度〜３０度であることが好ましく、１０度〜２０度であることがより好ましい。平面視における斜面１０ｃの幅Ｗは、１ｍｍ〜２０ｍｍであることが好ましく、３ｍｍ〜９ｍｍであることがより好ましい。
【００４０】
なお、本発明において、斜面が平面状である必要は必ずしもない。斜面は、例えば曲面状であってもよい。より具体的には、斜面は、例えば、凸面状または凹面状であってもよい。
【００４１】
調理面１０ａ及び斜面１０ｃの上には、赤外光を遮蔽する赤外光遮蔽膜１１が形成されている。本実施形態では、この赤外光遮蔽膜１１により、調理面１０ａ及び斜面１０ｃの全面が覆われている。もっとも、本発明においては、赤外光遮蔽膜が調理面及び斜面の全面を覆っている必要は必ずしもない。本発明においては、赤外光遮蔽膜は、斜面の少なくとも一部を覆うものである限りにおいて特に限定されない。
【００４２】
赤外光遮蔽膜１１は、赤外光を反射する膜、赤外光を吸収する膜、または赤外光を吸収すると共に反射する膜により構成することができる。赤外光遮蔽膜１１は、具体的には、例えば、ガラス板１０の屈折率よりも高い屈折率を有する高屈折率膜により構成することができる。赤外光遮蔽膜１１を高屈折率膜により構成する場合は、高屈折率膜は、ガラス板１０の屈折率よりも０．１以上高い屈折率を有することが好ましく、０．２以上高い屈折率を有することがより好ましい。具体的には、高屈折率膜の屈折率は、０．３以上であることが好ましく、０．４以上であることがより好ましい。
【００４３】
赤外光遮蔽膜１１が、赤外光を反射させる赤外光反射膜である場合は、赤外光遮蔽膜１１は、入射角が０°の赤外光に対する平均反射率が１０％以上であるものであることが好ましく、１５％以上であるものであることがより好ましい。また、このような赤外光遮蔽膜１１は、例えば、酸化チタン、酸化ジルコン、酸化ニオブ、酸化ハフニウム、酸化タンタル、酸化タングステンまたはスズドープ酸化インジウム（ＩＴＯ）等の金属酸化物膜により構成することができる。なかでも、赤外光遮蔽膜１１は、酸化チタン、酸化ジルコン、酸化ニオブまたはスズドープ酸化インジウム（ＩＴＯ）からなることがより好ましく、酸化チタンからなることがさらに好ましい。
【００４４】
一方、赤外光遮蔽膜１１が、赤外光を吸収する赤外光吸収膜である場合、赤外光遮蔽膜１１は、例えば、酸化クロム、あるいは酸化銅等の黒色を呈する塗装膜により形成することができる。
【００４５】
また、赤外光遮蔽膜１１を赤外光反射膜及び赤外光吸収膜のうちの少なくとも一方を含む積層膜により構成してもよい。また、赤外光遮蔽膜は、例えば、高屈折率膜と低屈折率膜とが交互に積層された誘電体多層膜により構成されていてもよい。
【００４６】
赤外光遮蔽膜１１が、可視光を透過させる場合、赤外光遮蔽膜１１として所定の色調を有する膜を採用することによって、電磁加熱調理器用トッププレートの色調を所望の色調に調整できる。例えば、ガラス板の透過光が黄色味を有する色調を呈する際に、酸化チタン膜を赤外光遮蔽膜１１として選択すれば、黄色を消色できる。酸化チタン膜は、青色の光の反射率が高いため、黄色味を抑制した色調となるからである。
【００４７】
以下、本実施形態では、赤外光遮蔽膜１１が単一の酸化チタン膜からなる場合について説明する。
【００４８】
酸化チタン膜は、赤外光を反射する赤外遮蔽膜であり、例えば入射角が０°の赤外光の平均反射率を２０％とし、赤外光の平均透過率を８０％とすることができる。
【００４９】
赤外光遮蔽膜１１の厚みは、赤外光遮蔽膜１１の屈折率等によって適宜設定することができる。赤外光遮蔽膜１１の厚みは、例えば、１０ｎｍ〜２００ｎｍであることが好ましく、５０ｎｍ〜１５０ｎｍであることがより好ましい。
【００５０】
一方、裏面１０ｂの上には、可視光を遮蔽する可視光遮蔽膜１２が形成されている。本実施形態では、この可視光遮蔽膜１２により裏面１０ｂの実質的に全体が覆われている。具体的には、可視光遮蔽膜１２は、裏面１０ｂの赤外光センサと対向する部分を除いた全体を覆っている。
【００５１】
本実施形態では、可視光遮蔽膜１２は、可視光を遮蔽する膜である。具体的には、本実施形態では、可視光遮蔽膜１２は、可視光を遮蔽すると共に、赤外光も遮蔽する膜である。可視光遮蔽膜１２は、例えば、可視光及び赤外光を反射したり吸収したりする膜により構成することができる。より具体的には、本実施形態では、可視光遮蔽膜１２は、可視光及び赤外光を反射する反射膜により構成されている。具体的には、可視光遮蔽膜１２は、金属膜により構成されている。より具体的には、可視光遮蔽膜１２は、金属チタン膜により構成されている。
【００５２】
可視光遮蔽膜１２の厚みは、特に限定されないが、例えば、５０ｎｍ〜２００ｎｍ程度とすることができる。
【００５３】
可視光遮蔽膜１２の上には、保護膜１３が形成されている。この保護膜１３により可視光遮蔽膜１２が覆われている。この保護膜１３により可視光遮蔽膜１２と外気との接触が抑制されている。これにより、可視光遮蔽膜１２の変性が抑制されている。
【００５４】
保護膜１３は、例えば、窒化ケイ素等により形成することができる。保護膜１３の厚みは、例えば、５０ｎｍ〜２００ｎｍ程度とすることができる。
【００５５】
ところで、斜面１０ｃが設けられていないトッププレートでは、調理面と端面との稜線部が尖鋭になる。このため、調理面と端面との稜線部に調理器具が接触すると、稜線部が割れたり欠けたりする虞がある。
【００５６】
それに対して本実施形態では、斜面１０ｃが設けられている。このため、調理器具との接触によってトッププレート１が損傷しにくい。また、稜線部を保護するための保護部材を設ける必要が必ずしもないため、ＩＨ調理器に組み込まれたトッププレート１の美観を向上させることができる。
【００５７】
トッププレート１では、裏面１０ｂの上に可視光遮蔽膜１２が設けられている。このため、トッププレート１を搭載したＩＨ調理器では、内部のＩＨ加熱装置や赤外光センサが好適に隠蔽される。従って、トッププレート１を用いることによって、美観に優れたＩＨ調理器を実現することができる。
【００５８】
ところで、ＩＨ調理器においては、トッププレート１の上に配置された調理器具の温度を高精度に検出できることが重要である。調理器具の温度の検出精度を高める観点からは、調理器具から発せられる赤外光以外のノイズとなる光（以下、「ノイズ光」とする。）が赤外光センサに到達することを如何に抑制するかが問題となる。
【００５９】
例えば、図３に示すように、ガラス板１００の斜面１００ｃの上に赤外光遮蔽膜が設けられていない場合は、斜面１００ｃからガラス板１００内に光が入射しやすい。特に、斜面１００ｃの法線方向から入射する光Ｌ１の斜面１００ｃからガラス板１００内への入射率が高くなる。この光Ｌ１がガラス板１００内に入射すると、調理面１００ａと裏面１００ｂとの間で反射を繰り返し、赤外光センサに至る虞がある。赤外光センサに到達した光Ｌ１に対して赤外光センサが検出感度を有している場合、光Ｌ１が赤外光センサに到達すると、赤外光センサにノイズが生じることとなり、調理器具の温度の検出精度が低下してしまうこととなる。
【００６０】
なお、調理面１００ａに対して斜めに入射する光Ｌ２は、調理面１００ａに対する入射角が大きいため、調理面１００ａからはガラス板１００内には入射しにくい。また、調理面１００ａに対して垂直に入射する光は、調理面１００ａからも入射しやすいが、その垂直入射光は、ガラス板１００内を板面方向に伝搬しないため、赤外光センサの直上に入射したもののみが影響を及ぼすこととなる。しかしながら、赤外光センサにより調理器具の温度を検出しているときには、赤外光センサの直上には調理器具が位置している。このため、調理面１００ａへの垂直入射光により調理器具の温度の検出精度が低下することはほとんどない。
【００６１】
ここで、本実施形態では、斜面１０ｃの上に赤外光遮蔽膜１１が設けられている。このため、図４に示すように、赤外光が斜面１０ｃからガラス板１０内に入射することが効果的に抑制されている。よって、斜面１０ｃからガラス板１０内に、調理器具の温度の検出精度を低下させるノイズ光が入射することが効果的に抑制されている。従って、本実施形態のトッププレート１を用いることにより、温度検出精度の低下を抑制することができる。
【００６２】
また、本実施形態では、赤外光遮蔽膜１１が調理面１０ａの上にも形成されている。このため、調理面１０ａからのノイズ光の侵入をより効果的に抑制することができる。よって、温度検出精度の低下をより効果的に抑制することができる。
【００６３】
また、酸化チタン膜などの高屈折率膜からなる赤外光遮蔽膜１１を設けることにより、トッププレート１の色調の制御も可能となる。具体的には、例えば、トッププレートの色調をシルバー調にすべく、シルバー色の遮蔽膜を設けた場合であっても、ガラス板１０の色調が黄色である場合は、トッププレート１の色調がゴールド調になってしまい、所望の色調が得られない。
【００６４】
それに対して、本実施形態では、高屈折率膜からなり、可視光を透過する赤外光遮蔽膜１１が設けられているため、その赤外光遮蔽膜１１の厚みや屈折率を調整することにより、ガラス板１０の吸収による色調変化を打ち消すことができる。従って、可視光遮蔽膜１２の色調と同じ色調のトッププレート１を実現することができる。例えば、本実施形態のように、可視光遮蔽膜１２を金属チタン膜により構成した場合は、シルバー調の美観に優れるトッププレート１を実現することができる。
【００６５】
以下、本発明を実施した好ましい形態の他の例について説明する。以下の説明において、上記第１の実施形態と実質的に共通の機能を有する部材を共通の符号で参照し、説明を省略する。
【００６６】
（第２の実施形態）
図５は、第２の実施形態に係るＩＨ調理器用トッププレートの略図的断面図である。
【００６７】
上記第１の実施形態では、可視光遮蔽膜１２が裏面１０ｂの全体を覆っている例について説明した。但し、本発明はこの構成に限定されない。
【００６８】
例えば、本実施形態では、図５に示すように、可視光遮蔽膜１２及び保護膜１３は、平面視において、斜面１０ｃと重なる部分を含む裏面１０ｂの周縁部の上には設けられておらず、裏面１０ｂの中央部の上のみに設けられている。この場合は、斜面１０ｃを透過した光Ｌ３が裏面１０ｂにおいて反射され難い。従って、ノイズ光が赤外光センサに到達することをさらに効果的に抑制することができる。その結果、温度検出精度の低下をさらに効果的に抑制することができる。なお、本実施形態及び上記第１の実施形態において、電磁加熱調理器用トッププレートの赤外光センサが配置される部分には、赤外光遮蔽膜１１及び可視光遮蔽膜１２は設けられていない。
【００６９】
（第３の実施形態）
図６は、第３の実施形態に係るＩＨ調理器用トッププレートの略図的断面図である。
【００７０】
上記第１の実施形態では、平面状の調理面１０ａと斜面１０ｃとが連続して設けられている例について説明した。但し、本発明は、この構成に限定されない。例えば、図６に示すように、調理面１０ａと斜面１０ｃとの間に環状の凸部１０Ａを設けてもよい。凸部１０Ａを設けた場合であっても、上記第１の実施形態と同様に、温度検出精度の低下を効果的に抑制することができる。
【００７１】
また、凸部１０Ａを設けることにより、トッププレート１の上に煮汁などの液体がこぼれた場合であっても、凸部１０Ａによりこぼれた煮汁などの液体がせき止められ、トッププレート１外に流出することが抑制される。
【符号の説明】
【００７２】
１…ＩＨ調理器用トッププレート
１０…ガラス板
１０Ａ…凸部
１０ａ…調理面
１０ｂ…裏面
１０ｃ…斜面
１０ｄ…端面
１１…赤外光遮蔽膜
１２…可視光遮蔽膜
１３…保護膜
【図１】
0005664316.tif 000002
【図２】
0005664316.tif 000003
【図３】
0005664316.tif 000004
【図４】
0005664316.tif 000005
【図５】
0005664316.tif 000006
【図６】
0005664316.tif 000007